(57)【要約】    【課題】      画像記憶部へのデータ転送に要する電力を削減し、動画像符号化などの画像処理負荷を低減するカメラ付き携帯端末機を提供すること。    【解決手段】  画像入力部２から入力された画像データを格納可能な画像データ記憶部３と、この画像データ記憶部３から入力された画像データの画像処理を行う画像処理部４とを有するカメラ部を有し、画像入力部２内に備えられ互いに隣り合う画像フレームの画像フレームデータの類似度を求める画像フレーム間類似度算出部１と、類似度の閾値を設定する制御部５と、類似度が閾値よりも大きい場合、前記画像データ記憶部３の画像データを更新しないように次のフレームでの画像データ出力を停止させると共に、画像データ出力のオン／オフ情報を画像処理部４へ出力する。  【選択図】      図１
2006121554.tif 000002
【特許請求の範囲】
【請求項１】
画像入力手段と、画像入力手段から入力された画像データを格納可能な画像データ記憶手段と、この画像データ記憶手段から入力された画像データの画像処理を行う画像処理手段とを有するカメラ部を有するカメラ付き携帯端末機において、
前記画像入力手段内に備えられ、互いに隣り合う画像フレームの画像フレームデータの類似度を求める画像フレーム間類似度算出手段と、
前記類似度の閾値を設定する制御手段と、
類似度が閾値よりも大きい場合、前記画像データ記憶手段の画像データの更新を行わないように次のフレームでの画像データ出力を停止させると共に、画像データ出力のオン／オフ情報を前記画像処理手段へ出力する前記画像入力手段と、
を有することを特徴とするカメラ付き携帯端末機。
【請求項２】
前記制御手段は、画像フレーム間の類似度の閾値をユーザが調整可能とする画像フレーム間類似度閾値調整手段を備えることを特徴とする請求項１記載のカメラ付き携帯端末機。
【発明の詳細な説明】
【技術分野】
【０００１】
本発明は、入力された画像データに対して画像処理を行うカメラ付き携帯端末機に関する。
【背景技術】
【０００２】
従来のカメラ付き携帯端末機は、大略、レンズや撮像素子等を備えた画像入力部、ＡＧＣやγ補正等の画像処理を行う画像処理部、画像データの画像記憶部を有するカメラと、電話機能部とで構成されており、特許文献１にて示すように画像入力部から得られる画像データを画像処理部で画像処理し、この画像処理した画像データを電話機能部により端末外部へ伝送する。
【特許文献１】特許第３０５９８４１号公報
【発明の開示】
【発明が解決しようとする課題】
【０００３】
しかしながら、従来のカメラ付き携帯端末機においては、静止画撮像時以外でのカメラ出力として動画像を取り扱う状態では、常にカメラの画像入力部から内部の画像記憶部へ画像データの転送が行われているため、このデータ転送のための電力を消費し端末機本体の低消費電力化の障害となっているという問題がある。
【０００４】
また、画像入力部から入力される動画像の符号化処理を行うに際しては、画像処理上、常に画像フレーム単位で画像が変化することになるため、フレーム単位間の動きベクトル検出処理も加えて発生することになり、符号化に多大な処理負荷を必要とし、符号化後のデータ量も大きくなってしまうという問題もある。
【０００５】
本発明はかかる点に鑑みてなされたものであり、画像記憶部へのデータ転送に要する電力を削減し、動画像符号化などの画像処理負荷を低減するカメラ付き携帯端末機を提供することを目的とする。
【課題を解決するための手段】
【０００６】
本発明のカメラ付き携帯端末機は、画像入力手段と、画像入力手段から入力された画像データを格納可能な画像データ記憶手段と、この画像データ記憶手段から入力された画像データの画像処理を行う画像処理手段とを有するカメラ部を有するカメラ付き携帯端末機において、前記画像入力手段内に備えられ、互いに隣り合う画像フレームの画像フレームデータの類似度を求める画像フレーム間類似度算出手段と、前記類似度の閾値を設定する制御手段と、類似度が閾値よりも大きい場合、前記画像データ記憶手段の画像データの更新を行わないように次のフレームでの画像データ出力を停止させると共に、画像データ出力のオン／オフ情報を前記画像処理手段へ出力する前記画像入力手段と、を有する構成を採る。
【０００７】
この構成によれば、画像フレーム間で類似度が大きい場合、画像入力手段からの画像データ出力を停止することにより、画像入力手段と画像データ記憶手段との間のデータ転送に要する消費電力の削減と、画像処理手段の処理負荷を低減することができる。
【発明の効果】
【０００８】
本発明によれば、画像入力手段に画像フレーム間の類似度を求める画像フレーム間類似度算出手段を設けることにより、画像入力手段と画像データ記憶手段間のデータ転送に要する電力の削減と、画像符号化における処理負荷を低減することができる。
【発明を実施するための最良の形態】
【０００９】
以下、本発明の実施の形態について、図面を参照して詳細に説明する。
【００１０】
（実施の形態１）
図１は、本発明の実施の形態１に係るカメラ付き携帯端末機のカメラ部の構成を示すブロック図である。図１において、カメラ付き携帯端末機のカメラ部としては、画像入力部２と、画像入力部２から入力された画像データが格納可能な画像データ記憶部３と、この画像データ記憶部３からの画像データの画像処理を行う画像処理部４とを有し、ここでは更に画像入力部２には画像フレーム間の類似度を求める画像フレーム間類似度算出部１が備えられ、この画像フレーム間類似度算出部１へ類似度の閾値を設定可能な制御部５を有する構成である。この場合、画像フレーム間類似度算出部１は、図示のように二つの隣り合うフレームの画像データを比較してその類似度を算出し、算出された類似度については制御部５により設定された閾値にて判定が行われる。また、図１の構成では、画像入力部２から画像処理部４に画像データ出力オン／オフ情報が送られる構成となっている。
【００１１】
このような構成を有するカメラ部にあって、類似度算出及び判定の動作を図２に示す。図２においては、まず、画像フレーム間類似度算出部１によって隣り合う画像フレーム間の類似度が求められる（ＳＴ２１）。
【００１２】
次に、算出された類似度が閾値より大きいか否かを判定する（ＳＴ２２）。ここで、類似度が閾値以下である（類似しない）場合、画像入力部２は次フレームの画像データを画像データ記憶部３へ転送し、画像データ記憶部３での画像データを次フレームの画像データに更新し（ＳＴ２３）、且つ画像入力部２から画像処理部４へ画像データ出力オン情報を出力する。また、類似度が閾値より大きい（類似する）場合、次フレームの画像データを画像データ記憶部３へ転送せず、画像データ記憶部３にある画像データの更新を行うことなく、画像処理部４へ画像データ出力オフ情報を入力させる（ＳＴ２４）。なお、ここにおいて、類似度算出方法には種々の方法があり、類似度を判定する閾値についても入力画像の性質や環境により設定値が異なり、類似度が大きくて画像データ転送を停止する場合の画像フレーム数についても状況に応じて設定可能である。
【００１３】
このように実施の形態１によれば、画像フレーム間の類似度を求める画像フレーム間類似度算出部１を画像入力部２に設けて閾値の判定を行うことにより、画像フレーム間で類似度が大きい場合は画像入力部２からの画像データ出力を停止するので、画像入力部２と画像データ記憶部３間の画像データ転送に要する電力の削減と、画像処理部４において画像入力部２から得られる画像データ出力オフ情報をもとに、動画像データの符号化処理負荷を減少させ、且つ符号化後のデータ量を削減することができる。
【００１４】
（実施の形態２）
図３は、本発明の実施の形態２に係るカメラ付き携帯端末機のカメラ部の構成を示すブロック図である。図３が図１と共通する部分には図１と同一の符号を付す。すなわち、隣り合う画像フレーム間の類似度を求める画像フレーム間類似度算出部１を備えた画像入力部２と、画像データを格納可能な画像データ記憶部３と、画像入力部２から入力された画像データの画像処理を行う画像処理部４と、画像フレーム間類似度算出部１へ類似度の閾値を設定可能な制御部５を有する。更に、本実施の形態２では、制御部５に接続されて類似度の大小を判定する閾値をユーザが設定可能とする画像フレーム間類似度閾値調整部６を有する。したがって、この画像フレーム間類似度閾値調整部６により、ユーザが画像の性質や環境に応じた閾値の設定を行うことができることになる。
【００１５】
このようなブロック構成を有するカメラ部にあって、類似度算出及び判定の動作は、前述した図２に示すとおりである。ここで、算出された類似度が閾値より大きいか否かをＳＴ２２において判定する場合の閾値は、ユーザにより設定された値である。なお、ここにおいても、画素の比較等類似度算出方法には種々の方法があり、類似度が大きくて画像データ転送を停止する場合の画像フレーム数についても状況に応じて設定可能である。
【００１６】
このように本発明の実施の形態２のカメラ付き携帯端末機によれば、画像フレーム間類似度閾値調整部６を新たに設けることにより、例えばカメラ入力の動画像における画像変化の滑らかさをユーザが設定することができる。
【産業上の利用可能性】
【００１７】
本発明は、消費電力低減を目指したカメラ付き携帯端末機に用いて好適である。
【図面の簡単な説明】
【００１８】
【図１】本発明の実施の形態１に係るカメラ付き携帯端末機のカメラ部のブロック構成図
【図２】動作を説明するためのフローチャート
【図３】本発明の実施の形態２に係るカメラ付き携帯端末機のカメラ部のブロック構成図
【符号の説明】
【００１９】
１  画像フレーム間類似度算出部
２  画像入力部
３  画像データ記憶部
４  画像処理部
５  制御部
６  画像フレーム間類似度閾値調整部
【図１】
2006121554.tif 000003
【図２】
2006121554.tif 000004
【図３】
2006121554.tif 000005